(57)【要約】【課題】ドクタリング工程を要する印刷方式において、ドクターブレード摺動方向に対して０°のストライプパターンを微細で高精度、且つ安定的に形成することができる印刷版を提供する。【解決手段】  表面上に多数の帯状の凹部２７を有する印刷版であって、帯状の凹部２７の長尺方向が、印刷方向と同一方向であり、且つ帯状の凹部２７の少なくとも一方の長尺方向終端部２９が、末端に向かって、その幅が徐々に減少している先細り形状を有することを特徴とする印刷版、及びその印刷版を用いる導電性部材の製造方法。【選択図】図２
2012020404.tif 000002
【特許請求の範囲】
【請求項１】
表面上に多数の帯状の凹部を有する印刷版であって、
前記帯状の凹部の長尺方向が、印刷方向と同一方向であり、且つ前記帯状の凹部の少なくとも一方の長尺方向終端部が、末端に向かって、その幅が徐々に減少している先細り形状を有することを特徴とする印刷版。
【請求項２】
ドクターブレードを当該印刷版表面上に摺動させることにより、印刷用インクを前記帯状の凹部に充填する工程を含む印刷方式に用いられ、
前記帯状の凹部の長尺方向が、前記ドクターブレードの摺動方向と同一方向であり、且つ前記帯状の凹部の長尺方向終端部が、前記ドクターブレードの摺動方向と同一方向に向かって、その幅が徐々に減少している先細り形状を有することを特徴とする請求項１に記載の印刷版。
【請求項３】
前記先細り形状が、前記帯状の凹部の一方の長辺Ｌ１における前記先細り形状が開始している先細り開始位置Ｓ１、及び他方の長辺Ｌ２における前記先細り形状が開始している先細り開始位置Ｓ２から前記先細り形状が収束している先細り末端Ｅに収束する先細り形状であり、且つ
Ｓ１及びＥを結ぶ直線Ｍ１と長辺Ｌ１とにより形成される角度α、並びにＳ２及びＥを結ぶ直線Ｍ２と長辺Ｌ２とにより形成される角度βの両方が１０５°以上、１８０°未満である請求項１又は２に記載の印刷版。
【請求項４】
前記先細り形状が、前記帯状の凹部の一方の長辺Ｌ１における先細り形状が開始している先細り開始位置Ｓ１から他方の長辺Ｌ２上にある先細り形状が収束している先細り末端Ｅに収束する先細り形状であり、且つ
Ｓ１及びＥを結ぶ直線Ｍ１と長辺Ｌ１とにより形成される角度αが１０５°以上、１８０°未満である請求項１又は２に記載の印刷版。
【請求項５】
前記角度α及び／又は角度βが、１１５°以上、１７０°以下である請求項３又は４に記載の印刷版。
【請求項６】
前記先細り形状が、前記先細り開始位置Ｓ１から前記先細り末端Ｅに至る直線、及び／又は前記先細り開始位置Ｓ２から前記先細り末端Ｅに至る直線で形成されている請求項３〜５のいずれか１項に記載の印刷版。
【請求項７】
前記先細り形状が、前記先細り開始位置Ｓ１、前記先細り開始位置Ｓ２、及び前記先細り末端Ｅを通る曲線で形成されている請求項３又は５に記載の印刷版。
【請求項８】
前記曲線が、円弧状又は楕円弧状であり、当該円弧又は楕円弧の中心Ｃと、前記先細り末端Ｅとの間の距離ｒと、前記帯状の凹部の短尺方向の距離ｗとの関係が、下記式（Ｉ）：
ｒ≧ｗ／８      （Ｉ）
を満たす請求項７に記載の印刷版。
【請求項９】
請求項１〜８のいずれか１項に記載の印刷版の表面上に導電性インクを供給する工程、
ドクターブレードを前記印刷版表面上に摺動させることにより、導電性インクを前記帯状の凹部に充填する工程、及び
前記帯状の凹部内に充填された導電性インクを基材上に転写することにより、前記基材上にストライプ状の導電層を形成する工程を有し、且つ
前記ドクターブレードを、その長さ方向と前記印刷版の帯状の凹部の長尺方向とが直行するように配置し、印刷版表面上を、前記帯状の凹部の先細り形状を有する終端部の方向に摺動させることを特徴とする導電性部材の製造方法。
【請求項１０】
前記導電性インクが、導電性粒子及びバインダ樹脂を含むペースト、又は導電性高分子を含むペーストである請求項９に記載の製造方法。
【発明の詳細な説明】
【技術分野】
【０００１】
本発明は、グラビア印刷法やグラビアオフセット印刷法等のドクターブレード及び凹版を用いる印刷法により、印刷用インクをストライプ状に支持体上に印刷するための印刷版に関し、特に、導電性インク等の高粘度な印刷用インクを、微細なストライプ状に高精度に印刷することができる印刷版に関する。さらに、この印刷版を使用したパターン電極等の導電性部材の製造方法に関する。
【背景技術】
【０００２】
従来から、液晶ディスプレイ（ＬＣＤ）、エレクトロルミネッセンス（ＥＬ）素子、プラズマディスプレイパネル（ＰＤＰ）、フィールドエミッションディスプレイ（ＦＥＤ）などの、いわゆるフラットパネルディスプレイ（ＦＰＤ）には、所定のパターン電極を備える画素電極基板や駆動回路基板が用いられている。また、液晶（ＬＣＤ）に代わる情報表示装置として、例えば、少なくとも一方が透明である２枚の対向する基材間に、表示媒体を封入した後、あるいは、隔壁により互いに隔離されたセルを形成し、セル内に表示媒体を封入した後、表示媒体に所定のパターン電極により電界を与え、表示媒体を移動させて画像等の情報を表示する情報表示パネル等の情報表示装置も開発されている（特許文献１）。
【０００３】
このような情報表示装置に用いられるパターン電極としては、特にストライプ状のパターン電極が、形成が容易であり、優れた導電性を有することから好ましく用いられる。
【０００４】
従来、基材上にパターン電極を形成する際は、金属等の材料をスパッタリング法、真空蒸着法、化学蒸着法（ＣＶＤ）、塗布法等で薄膜状に形成した後、金属膜をエッチングする方法が用いられている。しかしながら、金属等の材料をスパッタリング法などにより薄膜状に形成する従来の方法では、工程数が多いだけでなく、高価な設備も必要となり、製造コストが高くなる問題があった。さらに、エッチング工程における廃液が環境へ高い負荷をかける問題もある。
【０００５】
一方、微細で高精度のストライプパターンを簡易且つ低コストな方法で形成できるパターン電極の作製方法として、ダイレクトグラビア印刷法（「グラビア印刷法」とも言う）やグラビアオフセット印刷法を用いる方法が開発されている（特許文献２）。ここで、グラビア印刷法について、図８を用いて説明する。
【０００６】
図８は、グラビア印刷装置を説明するための概略断面図である。図８に示す装置では、円筒状の印刷版９１がインク槽９２に貯留された印刷用インク９３にその下部が浸漬するように配設され、印刷版９１の上部にはドクターブレード９４と円筒状の圧胴９５が配置されており、印刷版グラビアロール９１と圧胴９５とで基材９６を挟圧して走行させる。印刷版９１の外周面上には、印刷用インク９３を収容するためのパターン状の凹部９７が形成されている。この装置を用いたグラビア印刷は、印刷版９１を時計回りに回転させることによって、印刷用インク９３を印刷版９１の外周面上に付着させて上昇せしめ、ドクターブレード９４によって凹部９７内に充填された印刷用インク９３を残しつつ、表面の不要な印刷用インク９３を掻き取った後、圧胴９５で挟圧して走行する基材９６に、凹部内の印刷用インク９３を転写することによって行なわれる。これにより、凹部の形状に対応した印刷パターン９８が基材９６上に印刷される。そして、上記のパターン電極等の導電性部材を製造する場合は、印刷用インクに導電性インクを用いることで行われる。この場合、用途、形状に応じて、種々のパターンの電極を形成できることが望まれている。
【先行技術文献】
【特許文献】
【０００７】
【特許文献１】特開２００７−１１２２７号公報
【特許文献２】特開平７−１２８５２０号公報
【発明の概要】
【発明が解決しようとする課題】
【０００８】
しかしながら、上述のようなグラビア印刷法やグラビアオフセット印刷法等、印刷版の凹部に印刷用インクを充填中又は充填後にドクタリング工程（ドクターブレードによって余分なインクを取り除く工程）を要する印刷方式においては、ドクターブレードの掻き取り方向（摺動方向ともいう）に対して、０°のストライプパターン（以後、「０°ストライプパターン」という）を、特に高粘度な印刷用インクにより、微細で高精度、且つ安定的に形成することは困難であるとされている。
【０００９】
図１に、０°ストライプパターンを説明するために、０°ストライプパターンの凹部を有する円筒状の印刷版とドクターブレードの概略斜視図を示す。図示の通り、印刷版１１の外周面上には、ストライプパターンの凹部１７が形成されており、印刷版１１の印刷方向（即ち、回転方向）、及びそれと反対方向のドクターブレード１４の掻き取り方向と、ストライプパターンの凹部１７の長手方向とが一致している。０°ストライプパターンは、例えば、矩形状の基材に効率的にストライプパターンを形成する場合に有用である。
【００１０】
従来技術において、０°ストライプパターンを形成する印刷版は、例えば図７に示すようなストライプパターンの凹部の形状を有する。図７（ａ）は従来の印刷版の凹部の一部の概略平面図を示し、図７（ｂ）は、図７（ａ）における破線部（終端部８９）の拡大図である。上述の通り、０°ストライプパターンの場合は、ドクターブレードの掻き取り方向と、印刷版のストライプパターンの凹部８７の長手方向が一致している。そして図７（ｂ）に示す通り、凹部８７の終端部８９は、コの字状（パターン形成ライン長辺Ｌとパターン形成ライン短辺Ｍで構成される角度が９０°）である。そのため、（ｉ）余剰なインクによるドクタリング不良、（ｉｉ）ストライプパターンの凹部の終端部との連続的な接触による、ドクターブレードの刃先欠け、等の問題が生じることになる。
【００１１】
（ｉ）については、ドクターブレードによりインクがストライプパターンの凹部に充填される際、その凹部の終端部（図７（ｂ）の短辺Ｍ）において逃げ場がなくなった余剰のインクによってドクターブレードの刃先が持ち上がり、インクの除去が不十分となる。その結果として、終端部パターンの形成不良が生じる。これは用いるインクが高粘度になるほど顕著に生じる。この現象がパターン電極を作製する際に生じた場合、短絡又は交差した不良回路が形成されることになる。（ｉ）の現象は、インクを低粘度化することにより、ある程度防止することができるが、特に導電性インクの場合は性能が低下するため、対応が困難である。また、（ｉｉ）については、印刷回数又はインキング（インク着肉）時間に応じて顕著になる。これは、印刷版のストライプパターンの凹部の終端部（図７（ｂ）の短辺Ｍ）とドクターブレードの刃先との接触磨耗が生じるためである。刃先が欠けた場合は、微細なストライプパターンを形成することは不可能になるため、ドクターブレードの交換が必要になる。
【００１２】
従って、本発明の目的は、印刷版の凹部に印刷用インクを充填中又は充填後にドクタリング工程を要する印刷方式において、０°ストライプパターンを微細で高精度、且つ安定的に形成することができる印刷版を提供することにある。
【００１３】
また、本発明の目的は、この印刷版を用いたパターン電極等の導電性部材の製造方法を提供することにある。
【課題を解決するための手段】
【００１４】
上記目的は、表面上に多数の帯状の凹部を有する印刷版であって、前記帯状の凹部の長尺方向が、印刷方向と同一方向であり、且つ前記帯状の凹部の少なくとも一方の長尺方向終端部が、末端に向かって、その幅が徐々に減少している先細り形状を有することを特徴とする印刷版によって達成される。
【００１５】
これにより、印刷版の０°ストライプパターンの凹部の終端部に、ドクターブレードの長さ方向と水平方向の辺（図７（ｂ）の短辺Ｍ）が無い形状とすることができる。従って、ドクターブレードにより印刷用インクが凹部に充填される際、０°ストライプパターンの凹部の終端部において余剰の印刷用インクの排出が良好になり、凹部の終端部における余剰なインクによるドクタリング不良を防止でき、且つ凹部終端部との連続的な接触によるドクターブレードの刃欠けを防ぐことができる。
【００１６】
本発明の印刷版の好ましい態様は以下の通りである。
（１）ドクターブレードを当該印刷版表面上に摺動させることにより、印刷用インクを前記帯状の凹部に充填する工程を含む印刷方式に用いられ、前記帯状の凹部の長尺方向が、前記ドクターブレードの摺動方向と同一方向であり、且つ前記帯状の凹部の長尺方向終端部が、前記ドクターブレードの摺動方向と同一方向に向かって、その幅が徐々に減少している先細り形状を有する。
（２）前記先細り形状が、前記帯状の凹部の一方の長辺Ｌ１における前記先細り形状が開始している先細り開始位置Ｓ１、及び他方の長辺Ｌ２における前記先細り形状が開始している先細り開始位置Ｓ２から前記先細り形状が収束している先細り末端Ｅに収束する先細り形状であり、且つＳ１及びＥを結ぶ直線Ｍ１と長辺Ｌ１とにより形成される角度α、並びにＳ２及びＥを結ぶ直線Ｍ２と長辺Ｌ２とにより形成される角度βの両方が１０５°以上、１８０°未満である。
（３）前記先細り形状が、前記帯状の凹部の一方の長辺Ｌ１における先細り形状が開始している先細り開始位置Ｓ１から他方の長辺Ｌ２上にある先細り形状が収束している先細り末端Ｅに収束する先細り形状であり、且つＳ１及びＥを結ぶ直線Ｍ１と長辺Ｌ１とにより形成される角度αが１０５°以上、１８０°未満である。
（２）又は（３）により、帯状の凹部の長尺方向終端部が、ドクターブレードの長さ方向に対して平均１５°以上９０°未満の角度を有する先細り形状を有することとなり、より効果的な有効なドクタリング不良の防止、及びドクターブレードの刃欠け防止が可能となる。
（４）前記角度α及び／又は角度βが、１１５°以上、１７０°以下である。これにより、更に効果的なドクタリング不良の防止、及びドクターブレードの刃欠け防止が可能となる。
（５）前記先細り形状が、前記先細り開始位置Ｓ１から前記先細り末端Ｅに至る直線、及び／又は前期先細り開始位置Ｓ２から前記先細り末端Ｅに至る直線で形成されている。これにより、帯状の凹部を形成する場合に、単純な直線で構成された形状となり、製造し易くなる。
（６）前記先細り形状が、前記先細り開始位置Ｓ１、前記先細り開始位置Ｓ２、及び前記先細り末端Ｅを通る曲線で形成されている。これにより、ドクターブレードによる印刷用インクの凹部への充填の際、帯状の凹部の終端部における余剰の印刷用インクの排出が更に良好になり、よりドクタリング不良を防止することができる。
（７）前記曲線が、円弧状又は楕円弧状であり、当該円弧又は楕円弧の中心Ｃと、前記先細り末端Ｅとの間の距離ｒと、前記帯状の凹部の短尺方向の距離ｗとの関係が、下記式（Ｉ）：
ｒ≧ｗ／８      （Ｉ）
を満たす。これにより、更に効果的なドクタリング不良の防止、及びドクターブレードの刃欠け防止が可能となる。
（８）前記距離ｒと前記距離ｗとの関係が、下記式（ＩＩ）：
３・ｗ≦r≦ｗ／８      （ＩＩ）
を満たす。
（９）前記印刷版が、円筒版である。
【００１７】
また、上記目的は、本発明の印刷版の表面上に導電性インクを供給する工程、ドクターブレードを前記印刷版表面上に摺動させることにより、導電性インクを前記帯状の凹部に充填する工程、及び前記帯状の凹部内に充填された導電性インクを基材上に転写することにより、前記基材上にストライプ状の導電層を形成する工程を有し、且つ前記ドクターブレードを、その長さ方向と前記印刷版の帯状の凹部の長尺方向とが直行するように配置し、印刷版表面上を、前記帯状の凹部の先細り形状を有する終端部の方向に摺動させることを特徴とする導電性部材の製造方法によって達成される。これにより、高粘度の導電性インクを用いても、ドクタリング工程を含む印刷方式によって、微細で高精度な０°ストライプパターンを有する導電性部材を、安定的に製造することができる。
【００１８】
本発明の導電性部材の製造方法においては、前記導電性インクが、導電性粒子及びバインダ樹脂を含むペースト、又は導電性高分子を含むペーストであることが好ましい。
【発明の効果】
【００１９】
本発明の印刷版によれば、０°ストライプパターンの凹部の終端部において余剰の印刷用インクの排出を良好にすることにより、凹部終端部における余剰なインクによるドクタリング不良を防止でき、且つ凹部終端部との連続的な接触によるドクターブレードの刃欠けを防ぐことができる。これにより、微細で高精度の０°ストライプパターンを、安定的に形成することができる。従って、本発明の導電性部材の製造方法によれば、短絡又は交差等の不良のない、ストライプパターンを有する導電性部材を安定して製造することができる。
【図面の簡単な説明】
【００２０】
【図１】本発明の印刷版の代表例とドクターブレードの関係を示す概略斜視図である。
【図２】図２（ａ）は、本発明の印刷版の帯状の凹部の好適態様を説明するための概略平面図であり、図２（ｂ）は、図２（ａ）の破線部の拡大図である。
【図３】図３（ａ）及び（ｂ）は、本発明の印刷版の帯状の凹部の好適態様における先細り形状のバリエーションを示す概略平面図である。
【図４】図４（ａ）は、本発明の印刷版の帯状の凹部の好適態様を説明するための概略平面図であり、図４（ｂ）は、図４（ａ）の破線部の拡大図である。
【図５】図５（ａ）及び（ｂ）は、本発明の印刷版の帯状の凹部の好適態様における先細り形状のバリエーションを示す概略平面図である。
【図６】図６（ａ）〜（ｃ）は、本発明の印刷版の帯状の凹部の先細り形状の好適態様を説明するための概略平面図である。
【図７】図７（ａ）は、従来技術の印刷版の帯状の凹部を説明するための概略平面図であり、図７（ｂ）は、図７（ａ）の破線部の拡大図である。
【図８】グラビア印刷装置を説明するための概略断面図である。
【発明を実施するための形態】
【００２１】
本発明の実施の形態について、図面を参照しながら説明する。
【００２２】
図１は、本発明の印刷版の代表的な例とドクターブレードの関係を示す概略斜視図である。円筒状の印刷版１１は、その外周表面上に多数の帯状の凹部１７を有する。この帯状の凹部１７の長尺方向は、円筒状の印刷版１１の印刷方向（矢印Ａ）、及び印刷版１１の印刷方向と反対方向になるドクターブレード１４の摺動方向（矢印Ｂ）と同一方向である。また、各帯状の凹部は、相互に平行に設けられている。本発明において、このような帯状のパターンを０°ストライプパターンともいう。本発明の印刷版は、ドクターブレード１４を表面上に摺動させることによって帯状の凹部１７に印刷用インクを充填する工程を含む印刷方式に用いられ、印刷用インクを０°ストライプパターンで印刷するためのものである。
【００２３】
なお、本発明において、印刷版における印刷方向とは、被印刷物の走行方向を意味する。したがって、印刷版が平版であった場合にはこの印刷版の長さ方向を意味し、印刷版が円筒状であった場合にはこの印刷版の円周方向（更には回転方向）を意味する。
【００２４】
そして、帯状の凹部１７は所定の範囲にストライプパターンを形成するため、必然的に、長尺方向に終端部１９及び２０が存在する。本発明の印刷版の帯状の凹部１７は、その長尺方向の終端部１９において、末端に向かって、即ち、ドクターブレード１４の摺動方向（矢印Ｂ）と同一方向に向かって、その幅が徐々に減少している先細り形状を有している（図１では図示していない）。なお、ドクターブレード１４の摺動時に初めに接触する帯状の凹部１７の長尺方向の終端部２０については、どのような形状でも良い。
【００２５】
先細り形状とすることにより、終端部１９が、ドクターブレードの長さ方向と水平方向の辺（図７（ｂ）の短辺Ｍ）を有さない形状となる。そうすると、印刷版１１の表面上に供給された印刷用インクを、ドクターブレード１４によって、凹部１７に充填すると共に、余剰のインクを印刷版１１から掻き取り除去する際に、余剰のインクが０°ストライプパターンの凹部１７の終端部１９において、せき止められることなく、スムーズに排出されることになる。従って、凹部１７の終端部１９における余剰なインクによるドクタリング不良を防止でき、ドクターブレード１４の長さ方向と水平方向の辺との連続的な接触によるドクターブレード１４の刃欠けを防ぐことができる。
【００２６】
本発明の印刷版は、情報表示パネル用のパターン電極や光学フィルタ用電磁波シールド層、及びプリント基板等、電子部品における微細なストライプパターンを有する導電層を形成するために好適に用いられる。したがって、印刷版における帯状の凹部の幅は、５〜５００μｍ、特に１０〜３００μｍとするのが好ましい。印刷版において隣接する凹部間の間隔は、１〜１００μｍ、特に５〜５０μｍとするのが好ましい。また、印刷版における帯状の凹部の深さは、１〜５０μｍ、特に１〜２０μｍとするのが好ましい。
【００２７】
次に、本発明の印刷版の帯状の凹部の好適態様を、図面を用いて詳細に説明する。
【００２８】
図２（ａ）は、本発明の印刷版の帯状の凹部の一好適態様を説明するための概略断面図であり、図２(ｂ)は、図２(ａ)の破線部の拡大図である。図２（ａ）に示す通り、ドクターブレードの摺動方向と、印刷版の各帯状の凹部２７の長手方向が一致している（０°ストライプパターン）。そして帯状の凹部２７の長尺方向の終端部２９（ドクターブレードと最後に接触する終端部）は、ドクターブレードの摺動方向と同一方向に向かって細くなる先細り形状を有している。図２（ｂ）に示す通り、先細り形状は、帯状の凹部２７の長辺Ｌ１の先細り開始位置Ｓ１、及び長辺Ｌ２の先細り開始位置Ｓ２から先細り末端Ｅに収束している。即ち、図２（ｂ）における先細り形状は、Ｓ１及びＥを結ぶ直線Ｍ１と、Ｓ２及びＥを結ぶ直線Ｍ２とによって形成されている。そして、直線Ｍ１と長辺Ｌ１とにより形成される角度α、直線Ｍ２と長辺Ｌ２とにより形成される角度βの両方が１０５°以上、１８０°未満であることが好ましい。この範囲の角度とすることで、終端部２９が、ドクターブレードの長さ方向に対して１５°以上、９０°未満の角度を有する先細り形状を有することになる。これにより凹部２７からの印刷用インクの排出がよりスムーズになり、より効果的に、帯状の凹部の終端部における余剰なインクによるドクタリング不良の防止や、ドクターブレードの刃欠け防止をすることができる。角度α及び角度βが１０５°未満の場合は、本発明における先細り形状の効果が低くなる場合がある。また、角度α及び角度βを大きくし過ぎると、終端部の先細り形状が長くなり過ぎることになるため、帯状の凹部の設計が難しくなる場合がある。従って、角度α及び角度βは、更に、１１５°以上、１７０°以下であることが好ましい。この範囲の角度とすることで、更に効果的に、ドクタリング不良の防止や、ドクターブレードの刃欠け防止をすることができる。角度α及び角度βは同一でも異なっていても良く、直線Ｍ１及び直線Ｍ２の長さは同一でも異なっていても良い。
【００２９】
また、図２（ｂ）においては、先細り形状は直線Ｍ１と、直線Ｍ２とによって形成されているが、Ｓ１とＥを結ぶ線、及び／又はＳ２とＥを結ぶ線は、図２（ｂ）のようなＳ１とＥ、及びＳ２とＥを直接結ぶ直線でなくても良い。図３（ａ）及び（ｂ）は、本発明の印刷版の帯状の凹部の一好適態様における先細り形状のバリエーションを示す概略平面図である。図３（ａ）は図２（ｂ）と異なり、先細り開始位置Ｓ１から先細り末端Ｅに至る線は屈折部Ｐを有し、先細り開始位置Ｓ２から先細り末端Ｅに至る線は屈折部Ｑを有している。先細り末端Ｅに向かって先細り形状を示せば、屈折部は１ヶ所より多くても良い。
【００３０】
また、図３（ｂ）は図２（ｂ）と異なり、先細り開始位置Ｓ１から先細り末端Ｅに至る線、及び先細り開始位置Ｓ２から先細り末端Ｅに至る線は曲線である。先細り末端Ｅに向かって先細り形状を示せば、曲線は円弧状、楕円弧状、二次曲線でも自由曲線でも良い。これらの場合も、仮にＳ１とＥを結ぶ直線Ｍ１、及びＳ２とＥを結ぶ直線Ｍ２を引き（破線で示す）、その直線Ｍ１と直線Ｌ１とにより形成される角度α、及び直線Ｍ２と直線Ｌ２とにより形成される角度βが、上記の範囲の角度であることが好ましい。更に、Ｓ１とＥを結ぶ線、及び／又はＳ２とＥを結ぶ線は、全ての部分で、長辺Ｌ１及び／又は長辺Ｌ２の方向に対して、上記の範囲の角度であることが好ましい。
【００３１】
図４（ａ）は、本発明の印刷版の帯状の凹部の別の一好適態様を説明するための概略平面図であり、図４（ｂ）は、図４（ａ）の破線部の拡大図である。図４（ａ）に示す通り、ドクターブレードの摺動方向と、印刷版の各帯状の凹部３７の長手方向が一致している（０°ストライプパターン）。そして帯状の凹部３７の長尺方向の終端部３９（ドクターブレードと最後に接触する終端部）は、ドクターブレードの摺動方向と同一方向に向かって細くなる先細り形状を有している。図４（ｂ）に示す通り、先細り形状は、帯状の凹部３７の一方の長辺Ｌ１の先細り開始位置Ｓ１から他方の長辺Ｌ２上にある先細り末端Ｅに収束している。即ち、図４（ｂ）における先細り形状は、Ｓ１及びＥを結ぶ直線Ｍ１と、長辺Ｌ２よって形成されている。そして、直線Ｍ１と長辺Ｌ１とにより形成される角度αが１０５°以上、１８０°未満であることが好ましい。この範囲の角度とすることで、終端部３９が、ドクターブレードの長さ方向に対して１５°以上、９０°未満の角度を有する先細り形状を有することになる。これにより凹部３７からの印刷用インクの排出がよりスムーズになり、より効果的に、帯状の凹部の終端部における余剰なインクによるドクタリング不良の防止や、ドクターブレードの刃欠け防止をすることができる。角度αが１０５°未満の場合は、本発明における先細り形状の効果が低くなる場合がある。また、角度αを大きくし過ぎると、終端部の先細り形状が長くなり過ぎることになるため、帯状の凹部の設計が難しくなる場合がある。従って、角度αは、更に、１１５°以上、１７０°以下であることが好ましい。この範囲の角度とすることで、更に効果的に、ドクタリング不良の防止や、ドクターブレードの刃欠け防止をすることができる。なお、図４（ｂ）において、先細り開始位置を有する長辺が長辺Ｌ２で、先細り末端Ｅを有する長辺が長辺Ｌ１であっても良い。
【００３２】
また、図４（ｂ）においては、先細り形状は直線Ｍ１と、長辺Ｌ２とによって形成されているが、Ｓ１とＥを結ぶ線は直線でなくても良い。図５（ａ）及び（ｂ）は、本発明の印刷版の帯状の凹部の一好適態様における先細り形状のバリエーションを示す概略平面図である。図５（ａ）は図４（ｂ）と異なり、先細り開始位置Ｓ１から先細り末端Ｅに至る線は屈折部Ｐを有している。先細り末端Ｅに向かって先細り形状を示せば、屈折部は１ヶ所より多くても良い。また、図５（ｂ）は図４（ｂ）と異なり、先細り開始位置Ｓ１から先細り末端Ｅに至る線は曲線である。先細り末端Ｅに向かって先細り形状を示せば、曲線は円弧状、楕円弧状、二次曲線でも自由曲線でも良い。これらの場合も、仮にＳ１とＥを結ぶ直線Ｍ１を引き（破線で示す）、その直線Ｍ１と直線Ｌ１とにより形成される角度αが、上記の範囲の角度であることが好ましい。更に、Ｓ１とＥを結ぶ線は、全ての部分で、長辺Ｌ１の方向に対して、上記の範囲の角度であることが好ましい。
【００３３】
本発明の印刷版の帯状の凹部の先細り形状は、帯状の凹部を形成する場合に、製造し易いことから、図２（ｂ）又は図４（ｂ）に示したような、単純な直線で構成された、先細り開始位置Ｓ１から先細り末端Ｅに至る直線、及び／又は先細り開始位置Ｓ２から先細り末端Ｅに至る直線で形成されていることが好ましい。
【００３４】
また、図６（ａ）〜（ｃ）は、本発明の印刷版の帯状の凹部の先細り形状の好適態様を説明するための概略平面図である。図６（ａ）〜（ｃ）の先細り形状は、帯状の凹部の長辺Ｌ１における先細り開始位置Ｓ１、及び長辺Ｌ２における先細り開始位置Ｓ２から先細り末端Ｅに向かって細くなる先細り形状であり、且つＳ１、Ｓ２及びＥを全て通る曲線で形成されている。これらの先細り形状についても、図３に示した先細り形状のバリエーションの場合と同様に、仮にＳ１とＥを結ぶ直線Ｍ１、及びＳ２とＥを結ぶ直線Ｍ２を引き（破線で示す）、その直線Ｍ１と直線Ｌ１とにより形成される角度α、及び直線Ｍ２と直線Ｌ２とにより形成される角度βが、上記の範囲の角度であることが好ましい。
【００３５】
上記の曲線は、円弧状、楕円弧状、二次曲線でも自由曲線でも良い。図６（ａ）においては先細り形状が自由曲線で形成されており、図６（ｂ）においては先細り形状が円弧状に形成されており、図６（ｃ）においては先細り形状が楕円弧状に形成されている。このような滑らかな曲線で形成された終端部を有することにより、ドクターブレードによる印刷用インクの凹部への充填の際、帯状の凹部の終端部における余剰の印刷用インクの排出が更に良好になる。従って、より効果的に、帯状の凹部の終端部における余剰なインクによるドクタリング不良を防止することができる。
【００３６】
また、図６（ａ）又は（ｂ）に示したような円弧状又は楕円弧状が好ましく、且つ図６（ａ）における円弧又は図６（ｂ）における楕円弧の中心Ｃと、先細り末端Ｅとの間の距離ｒ（即ち、円弧又は楕円弧の半径）と、帯状の凹部の短尺方向の距離（即ち、帯状の凹部の幅）ｗとの関係が、下記式（Ｉ）：
ｒ≧ｗ／８      （Ｉ）
を満たすことが好ましい。このような先細り形状とすることにより、更に効果的に、ドクタリング不良の防止、及びドクターブレードの刃欠け防止をすることができる。距離ｒが、距離ｗの１／８未満の場合は、先細り形状の効果が低くなる場合がある。また、距離ｒが大きすぎると、終端部の先細り形状が長くなり過ぎることになるため、帯状の凹部の設計が難しくなる場合がある。従って、距離ｒは、距離ｗとの関係において、更に下記式（ＩＩ）：
３・ｗ≧ｒ≧ｗ／８      （ＩＩ）
を満たすことが好ましい。
【００３７】
本発明の印刷版の材質は、銅、鉄等の金属、セラミックス、樹脂等いずれを使用してもよい。また、これらの金属の上にクロム、セラミックス、ダイヤモンドライクカーボン（ＤＬＣ）等をメッキすることにより、印刷版の耐刷力を高めることもできる。
【００３８】
印刷版の形状は、平版でも円筒版（シリンダー）いずれでもよい。一般的なグラビア印刷やグラビアオフセット印刷に使用できる円筒版が好ましい。印刷版に所定の画線部を形成するには、エッチング法やレーザー彫刻法など、従来公知の方法を用いて行えばよい。
【００３９】
＜導電性部材の製造方法＞
本発明の印刷版によれば、高粘度の印刷用インクであっても、微細で高精度な０°ストライプパターンを短絡や交差なく、安定的に形成することができる。従って、電子部品用の微細なストライプパターンを有するパターン電極や、プリント基板等の導電層を有する導電性部材を製造するために好適に用いられる。
【００４０】
このような導電層を形成するためには、導電性インクを、上述した印刷版を用いたグラビア印刷法又はグラビアオフセット印刷法により、基材に転写する方法を用いることができる。例えば、グラビア印刷法では、印刷版の表面上に導電性インクを供給する工程、ドクターブレードを印刷版表面上に摺動させることにより、導電性インクを前記帯状の凹部に充填すると共に余剰の導電性インクを掻き落す工程、及び前期帯状の凹部内に充填された導電性インクを基材上に転写することにより、基材上にストライプ状の導電層を形成する工程を有する方法を用いることができる。
【００４１】
また、グラビアオフセット印刷法では、印刷版の表面上に導電性インクを供給する工程、ドクターブレードを印刷版表面上に摺動させることにより、導電性インクを前記帯状の凹部に充填すると共に余剰の導電性インクを掻き落す工程、及び前記帯状の凹部内に充填された導電性インクを、印刷版と接触して回転している中間ロールもしくはブランケットロール上に転写させ、その後中間ロールもしくはブランケットロール上に転写させた導電性インクを、基材上に転写することにより、基材上にストライプ状の導電層を形成する工程を有する方法を用いることができる。
【００４２】
このように本発明の印刷版を用いて、印刷用インクを０°ストライプパターンで基材上に印刷するには、前記印刷版を従来公知のグラビア印刷装置やグラビアオフセット印刷装置に組み込んで行うことができる。
【００４３】
例えば、図８に示すグラビア印刷装置は、ロール状の印刷版９１を、その中心軸を中心として、時計方向に回転可能に支持した状態で、前記印刷版９１の下半分を、インク槽９２中に収容した印刷用インク９３に浸漬し、かつ上端に、基材９６を挟んで、その中心軸を中心として、反時計方向に回転可能に支持した圧胴９５を配置させることで構成されている。
【００４４】
また、印刷版９１の、前記印刷用インク９３の液面より上側で、かつ印刷版９１の回転方向の上流側の位置（図において左側）には、ドクターブレード９４が摺接されている。ドクターブレード９４が印刷版上を摺動することにより、印刷版９１の表面に付着した余剰の印刷用インク９３を掻き落とし、印刷版９１の外周面上に形成した帯状の凹部９７内にのみに選択的に印刷用インク９３が充填される。
【００４５】
そして、印刷版９１と圧胴９５との間に、例えば、帯状の基材９６を挟んだ状態で、印刷版９１と圧胴９５とを、それぞれ、図中に矢印で示す方向に回転させると共に、基材９６を、前記回転に合わせて、図中に矢印Ａで示す方向に搬送させる。これにより、印刷版９１が回転して、凹部内に充填された印刷用インク９３が基材９６の片面に転写されて、凹部９７の平面形状に対応したストライプ状の印刷パターン９８が形成される。印刷用インク９３が導電性インクであれば、所定のパターンの導電層を有する導電性部材が得られる。
【００４６】
本発明の導電性部材の製造方法においては、図１に示すように、ドクターブレード１４を、その長さ方向と本発明の印刷版の帯状の凹部１７の長尺方向とが直行するように配置し、印刷版１１表面上を帯上の凹部１７の先細り形状を有する終端部１９の方向に摺動させることになる。これにより、高粘度の導電性インクであっても、微細で高精度な０°ストライプパターンの導電層を有する導電性部材を、安定的に製造することができる。
【００４７】
導電性インクとしては、導電性粒子及びバインダ樹脂を含むペースト（１）、導電性高分子を含むペースト（２）などが好ましく挙げられる。
【００４８】
ペースト（１）に用いられる導電性粒子としては、アルミニウム、ニッケル、インジウム、クロム、金、バナジウム、スズ、カドミウム、銀、プラチナ、銅、チタン、コバルト、鉛等の金属、合金；或いはＩＴＯ、酸化インジウム、酸化スズ、酸化亜鉛、酸化インジウム−酸化スズ（ＩＴＯ、いわゆるインジウムドープ酸化スズ）、酸化スズ−酸化アンチモン（ＡＴＯ、いわゆるアンチモンドープ酸化スズ）、酸化亜鉛−酸化アルミニウム（ＺＡＯ；いわゆるアルミニウムドープ酸化亜鉛）等の導電性酸化物等を挙げることができる。
【００４９】
導電性粒子の平均粒子径は、１０ｎｍ〜１００μｍ、特に１０ｎｍ〜５μｍであるのが好ましい。このような導電性粒子であれば、微分散して、優れた導電性を発揮することができる。
【００５０】
ペースト（１）における導電性粒子の含有量は、バインダ樹脂１００質量部に対して、１００〜５０００質量部、特に３００〜３５００質量部とするのが好ましい。
【００５１】
ペースト（１）に用いられるバインダ樹脂としては、熱可塑性、熱硬化型、又は光（一般に紫外線）硬化型の樹脂である。具体的には、アクリル樹脂、ポリエステル樹脂、エポキシ樹脂、ウレタン樹脂、フェノール樹脂、マレイン酸樹脂、メラミン樹脂、ユリア樹脂、ポリイミド樹脂、含ケイ素樹脂等を挙げることができる。また、これらのモノマー及びオリゴマーを用いることもできる。この場合、ペースト（１）には重合開始剤がさらに用いられ、紫外線などの活性エネルギー線の照射により、印刷後のペーストを硬化させることもできる。
【００５２】
ペースト（１）は、バインダ樹脂及び導電性粒子を適宜有機溶剤中に分散させたものである。有機溶剤としては、トルエン、キシレン等の芳香族炭化水素、メチルエチルケトン、メチルイソブチルケトン等のケトン類、酢酸エチル、酢酸ブチル等のエステル類、イソプロピルアルコール等のアルコール類を挙げることができる。
【００５３】
ペースト（２）に用いられる導電性高分子としては、ポリアニリン、ポリチオフェン、ポリピロール、ポリアセチレン、ポリパラフェニレン、ポリシラン、ポリフルオレン、及びポリフェニレンビニレンが好ましく挙げられる。これらは一種単独で用いられてもよく、必要に応じて二種以上を併用してもよい。なかでも、ポリチオフェン、ポリアニリンを使用するのが好ましく、ポリチオフェンを使用するのが特に好ましい。これらの導電性高分子であれば、微細なパターンを有し、優れた導電性を有する導電性パターン層を形成することが可能となる。
【００５４】
ポリチオフェンは、下記一般式（１）
【００５５】
【化１】
2012020404.tif 000003
【００５６】
（式中、Ｒ１及びＲ２は、相互に独立して水素原子若しくはＣ１〜Ｃ４アルキル基を表し、又はＲ１及びＲ２が共になって置換されていてもよいＣ１〜Ｃ４アルキレン基を表し、ｎは５０〜１０００の整数を表す）で示される繰り返し単位を有するのが好ましい。
【００５７】
一般式（１）において、Ｒ１及びＲ２が共になって形成する置換基を有していてもよいＣ１〜Ｃ４アルキレン基として、具体的には、アルキル基で置換されたメチレン基、任意にＣ１〜Ｃ１２アルキル基またはフェニル基で置換されたエチレン−１，２基、プロピレン−１，３基またはシクロヘキシレン−１，２基を形成する基などが挙げられる。
【００５８】
一般式（１）におけるＲ１及びＲ２として、好ましくはメチル基またはエチル基であるか、Ｒ１及びＲ２が共になって形成するメチレン基、エチレン−１，２基またはプロピレン−１，３基である。
【００５９】
ポリチオフェンとして、特に好ましくは、下記一般式（２）
【００６０】
【化２】
2012020404.tif 000004
【００６１】
（式中、ｐは５０〜１０００の整数を表す）で示される繰り返し単位を有する。
【００６２】
ペースト（２）における導電性高分子の含有量は、ペースト（２）の全量に対して２〜２０質量％、特に５〜１０質量％であるのが好ましい。これにより、ペースト（２）のレベリング性を向上させることができる。
【００６３】
ペースト（２）は、上述した導電性高分子の他に、さらにドーパント（電子供与剤）を含有するのが好ましい。ドーパントとして具体的には、ポリアクリル酸、ポリメタクリル酸、ポリマレイン酸、ポリスチレンスルホン酸、及びポリビニルスルホン酸が好ましく挙げられる。これらは、導電性高分子溶液における溶解性又は分散性に優れる、さらに導電性パターン層の導電性を向上させることが可能となる。なかでも、ポリスチレンスルホン酸が好ましい。なお、ドーパントは、一種単独で用いられてもよく、必要に応じて二種以上を併用してもよい。ドーパントの数平均分子量Ｍｎは、１，０００〜２，０００，０００、特に２，０００〜５００，０００であるのが好ましい。
【００６４】
ペースト（２）におけるドーパントの含有量は、導電性高分子１００質量部に対して、１〜１００質量部、特に５〜５０質量部とするのが好ましい。
【００６５】
ペースト（２）に用いられる溶剤としては、水、ヘキサン等の飽和炭化水素類、トルエン、キシレン等の芳香族炭化水素、メタノール、エタノール、プロパノール、ブタノール等のアルコール類、アセトン、メチルエチルケトン、イソブチルメチルケトン、ジイソブチルケトン等のケトン類、酢酸エチル、酢酸ブチル等のエステル類、テトラヒドロフラン、ジオキサン、ジエチルエーテル等のエーテル類、Ｎ，Ｎ−ジメチルアセトアミド、Ｎ，Ｎ−ジメチルホルムアミド、Ｎ−メチルピロリドン等のアミド類が好ましく挙げられる。
【００６６】
本発明の方法において、導電性インクは、２５℃において、一般に１〜１００Ｐａ・ｓ、である。本発明の印刷版を用いることで、高粘度のインクでも、帯状の凹部の終端部におけるインクの排出を向上させ、微細で高精度なストライプパターンを形成できるので、導電性インクの粘度は、５〜８０Ｐａ・ｓが好ましく、特に１０〜５０Ｐａ・ｓが好ましい。
【００６７】
これにより、  導電性ペーストを基材上に印刷する際に、基材の走行速度は、０．５〜５０ｍ／分、特に１〜２０ｍ／分とするのが好ましい。このような走行速度であれば、微細なストライプパターンの導電層を高精度で印刷することができる。
【００６８】
印刷した導電性インクを硬化させるには、導電性インクに用いられた成分に応じて行えばよい。例えば、加熱、又は紫外線、Ｘ線、γ線、電子線などの光照射により行うことができる。
【００６９】
導電性インクは、印刷した後、好ましくは８０〜１６０℃、より好ましくは９０〜１３０℃で加熱することにより硬化させるのがよい。乾燥温度が８０℃未満では溶媒の蒸発速度が遅く十分な成膜性が得られない恐れがあり、１６０℃を超えると導電性インクに用いられた成分の熱分解が生じる恐れがある。塗布後に熱乾燥させる場合の乾燥時間は５秒〜３０分が好ましい。
【００７０】
本発明の方法において、導電性インクを塗布する基材としては、透明性および可とう性を備え、その後の処理に耐えるものであれば特に制限はない。基材の材質としては、例えば、ガラス、ポリエステル（例、ポリエチレンテレフタレート、（ＰＥＴ）、ポリブチレンテレフタレート）、アクリル樹脂（例、ポリメチルメタクリレート（ＰＭＭＡ））、ポリカーボネート（ＰＣ）、ポリスチレン、セルローストリアセテート、ポリビニルアルコール、ポリ塩化ビニル、ポリ塩化ビニリデン、ポリエチレン、エチレン−酢酸ビニル共重合体、ポリビニルブチラール、金属イオン架橋エチレン−メタクリル酸共重合体、ポリウレタン、セロファン等を挙げることができる、これらの中で、加工処理（加熱、溶剤、折り曲げ）による劣化が少なく、透明性の高い材料であるＰＥＴ、ＰＣ、ＰＭＭＡが好ましい。また、基材は、これらの材質からなるシート、フィルム、又は板として用いられる。
【００７１】
また、これらの基材の表面には、ポリエステルポリウレタンなどの接着樹脂を塗布することにより易接着処理が行われていてもよい。
【００７２】
基材の厚みは特に限定されないが、通常は、使用時の形態や必要とされる機械的強度に応じて、０．０５〜５ｍｍの範囲内で適宜設定される。
【００７３】
また、本発明の印刷版により形成される導電層のストライプパターンの幅は、印刷版が有する帯状の凹部の幅と対応している。導電層のストライプパターンの幅は、５〜５００μｍ、特に１０〜３００μｍであるのが好ましい。導電層のストライプパターン間に形成される凹部の幅は、１〜１００μｍ、特に５〜５０μｍであるのが好ましい。導電層のストライプパターンの高さは、１〜５０μｍ、特に１〜２０μｍであるのが好ましい。
【００７４】
上述した方法により、ストライプパターンを有する導電層を基材上に形成することにより製造された導電性部材は、各種用途に用いることができるが、情報表示パネル用のパターン電極、光学フィルタ用電磁波シールド層、及びプリント基板として用いられるのが好ましい。
【実施例】
【００７５】
以下に実施例を示し、本発明についてさらに詳述する。
（実施例１）
１．印刷版の作製
アルミニウムシリンダー上に５０μｍのクロム膜をメッキし、その表面にレーザー彫刻法により、印刷版の外周面上に、帯状の凹部の長尺方向がドクターブレードの摺動方向と同一方向（０°ストライプパターン）で、下記に示すストライプパターンが形成されたロール状の印刷版（直径φ２００ｍｍ）を使用した。
［ストライプパターン（図２）］
帯状の凹部の幅：        ２５０μｍ
隣接する凹部間の間隔：  １０μｍ
帯状の凹部の長さ：      ５０ｍｍ
帯状の凹部の深さ：      １０μｍ
帯状の凹部本数：        １００本
終端部の先細り形状：形状は図２（ｂ）の通りで、図中の角度α；１３５°、角度β；１３５°で作製。
２．導電性インクの調製
下記材料：
飽和共重合ポリエステル樹脂；  ９質量部
銀微粒子（平均粒子径：１μｍ）；    ７７質量部
２−ブトキシエチルアセテート；  ５質量部
２−（２−エトキシエトキシ）エチルアセテート；  ９質量部
を計量、混合し３０分間攪拌・分散処理を印刷用導電性インクを調製した。この導電性インクの粘度は２５Ｐａ・ｓであった。
３．印刷
上記印刷版を組み込んだグラビアオフセット印刷装置により、上記導電性インクを、易接着層を有するＰＥＴフィルム（Ｏ３ＬＦ８（帝人デュポンフィルム社製））の易接着層面に印刷してＰＥＴフィルム上にストライプパターンの導電層を形成した。このとき、印刷速度は３ｍ／分とし、ドクターブレードと印刷版のブレード後方表面とが作る角度を５０°とし、印刷版に当接するドクターブレードの先端の圧力（ドクターブレード圧）を０．２ＭＰａとした。また、ドクターブレードの刃先欠けの状況についても調べるため、印刷を５０枚連続で行った。
４．評価
印刷１枚目及び５０枚目に得られたストライプパターンの導電層について、外観形状をマイクロスコープ（キーエンス社製）で観察し、パターン終端部の形状、及び終端部以外の外観品位等を評価した。ストライプパターンの短絡、断線等がない高精度のストライプパターンの場合を○とし、短絡、断線、印刷スジ等の不良が認められた場合を×とした。
【００７６】
（実施例２）
印刷版の外周面上に形成されたストライプパターンを下記の通りに変更した以外は、実施例１と同様にして導電層を形成し、評価した。
【００７７】
［ストライプパターン（図４）］
帯状の凹部の幅：        ２５０μｍ
隣接する凹部間の間隔：  １０μｍ
帯状の凹部の長さ：      ５０ｍｍ
帯状の凹部の深さ：      １０μｍ
帯状の凹部本数：        １００本
終端部の先細り形状：形状は図４（ｂ）の通りで、図中の角度α；１３５°で作製。
【００７８】
（実施例３）
印刷版の外周面上に形成されたストライプパターンを下記の通りに変更した以外は、実施例１と同様にして導電層を形成し、評価した。
【００７９】
［ストライプパターン（図６（ｂ））］
帯状の凹部の幅：        ２５０μｍ
隣接する凹部間の間隔：  １０μｍ
帯状の凹部の長さ：      ５０ｍｍ
帯状の凹部の深さ：      １０μｍ
帯状の凹部本数：        １００本
終端部の先細り形状：形状は図６（ｂ）の通りで、図中の距離ｒ（円弧の半径）；１２５μｍ（＝距離ｗ／２）で作製。
【００８０】
（比較例１）
印刷版の外周面上に形成されたストライプパターンを下記の通りに変更した以外は、実施例１と同様にして導電層を形成し、評価した。
【００８１】
［ストライプパターン（図７）］
帯状の凹部の幅：        ２５０μｍ
隣接する凹部間の間隔：  １０μｍ
帯状の凹部の長さ：      ５０ｍｍ
帯状の凹部の深さ：      １０μｍ
帯状の凹部本数：        １００本
終端部の先細り形状：形状は図７（ｂ）の通り。
（評価結果）
評価結果を表１に示す。
【００８２】
【表１】
2012020404.tif 000005
【００８３】
表１に示す通り、実施例１〜３の場合、１枚目に形成された導電層、及び５０枚目に形成された導電層とも、パターン終端部についても、終端部以外についても良好な形状、外観品位を示した。これに対し、比較例１では、１枚目に形成された導電層の終端部に短絡が認められ、５０枚目に形成された導電層では、更に終端部以外において、印刷スジが発生し、ドクターブレードの刃先欠けが生じたことが示された。以上により、本発明の印刷版の効果が認められた。
【００８４】
なお、本発明は上記の実施の形態の構成及び実施例に限定されるものではなく、発明の要旨の範囲内で種々変形が可能である。
【符号の説明】
【００８５】
１１、９１：印刷版
１４、９４：ドクターブレード
１７、２７、３７、８７、９７：凹部
１９、２０、２９、３９、８９：凹部終端部
９３：印刷用インク
９５：圧胴
９６：基材
９８：印刷パターン
【図１】
2012020404.tif 000006
【図２】
2012020404.tif 000007
【図３】
2012020404.tif 000008
【図４】
2012020404.tif 000009
【図５】
2012020404.tif 000010
【図６】
2012020404.tif 000011
【図７】
2012020404.tif 000012
【図８】
2012020404.tif 000013